(57)【要約】【課題】  軒先唐草という最小限の部材で軒先を納め、しかも、軒天井等の化粧まで仕上げることが可能な建築物の軒先構造を提供すること。【解決手段】  軒先唐草８は、下地１の軒先端部３ｃに取り付ける固定部８ａと、固定部８ａから延出し、外装材１０の取付面６と略同一高さレベルで、軒先端部３ｃの外側に張り出る上面部８ｂと、外装材１０軒先側の係止部１０ａが係止される被係止部８ｃと、上面部８ｂ先端側下面から建築物の壁面７に向けて連続して延在して、端部８ｄ１が壁面７付近もしくは壁面７にまで延びる化粧部８ｄを有し、この軒先唐草８における固定部８ａを軒先端部３ｃに取り付け固定し、被係止部８ｃに外装材１０軒先側の係止部１０ａを係止し、端部８ｄ１が建築物の壁面７付近もしくは壁面７にまで延びている化粧部８ｄで軒天井部ｂを一体形成している。【選択図】  図１
2005248508.tif 000002
【特許請求の範囲】
【請求項１】
建築物の軒先に取り付けられる軒先唐草と、軒先唐草に係止する外装材によって構築される軒先構造において、
前記軒先唐草は、下地の軒先端部に取り付ける固定部と、固定部から延出し、外装材の取付面と略同一高さレベルで、下地の軒先端部の外側に張り出る上面部と、外装材軒先側の係止部が係止される被係止部と、上面部先端側下面から建築物の壁面に向けて連続して延在して、端部が建築物の壁面付近もしくは壁面にまで延びる化粧部を有し、
この軒先唐草における固定部を下地の軒先端部に取り付け固定し、被係止部に外装材軒先側の係止部を係止し、端部が建築物の壁面付近もしくは壁面にまで延びている化粧部で軒天井部を一体形成していることを特徴とする建築物の軒先構造。
【請求項２】
上面部と化粧部は、両部の先端側の交角が鋭角状の断面略横向きＶ字状に形成されていることを特徴とする請求項１記載の建築物の軒先構造。
【請求項３】
化粧部下面の化粧面が略水平状に形成されていることを特徴とする請求項１または２記載の建築物の軒先構造。
【発明の詳細な説明】
【技術分野】
【０００１】
本発明は建築物の軒先構造に関する。
【背景技術】
【０００２】
建築物の軒先は、躯体や下地材等を覆うように形成され、その方法は、特許文献１のように、屋根の下地材等を覆うもの（軒先唐草と称される）や、さらに、特許文献２のように、幕板、水切り等の別部材を組み付けるもの等が存在する。
前者の場合、横葺屋根板の成形部等と係合する係合部と建築物の軒先に取り付けられる取付部と建築物の軒先を覆う垂下部を主構成としている。
さらに詳細には、固定部は、躯体あるいは下地材にビス止めするフラット状やＬ字状、あるいは下地材に嵌める略コ字状等で構成され、垂下部は躯体の形状に沿う階段状に形成されている。
後者の場合、前記軒先唐草に水切りや幕板をビス等の固着具で固定したものが提案されている。さらに、化粧を目的として、特許文献３のように、壁から支持材を持ち出し、軒天井等を設けることも行われている。
しかし、前者は、躯体の形状に沿わせるため、外観意匠が「階段状」にならざるを得ず、意匠性に乏しいものであった。
一方後者は、部品点数の増加が避けられず、施工に手間がかかるという問題があった。さらに壁から支持材等を持ち出すため、屋根工事とは別に行なわなければならないという問題もあった。
【特許文献１】特開平５−１５６７６６
【特許文献２】特開平７−３１７２５５
【特許文献３】特許３３５９７３４
【発明の開示】
【発明が解決しようとする課題】
【０００３】
解決しようとする課題は、第１には、軒先唐草という最小限の部材で軒先を納め、しかも、軒天井等の化粧まで仕上げることが可能な建築物の軒先構造を、第２には、さらに、先鋭状の軒先意匠に仕上げることが可能な建築物の軒先構造を、第３には、さらに、軒天井意匠を接続箇所がない水平状のデザインに仕上げることが可能な建築物の軒先構造を提供することにある。
【課題を解決するための手段】
【０００４】
本発明は前記した課題を達成するため、以下の構成にしたことを特徴とする。
１．建築物の軒先に取り付けられる軒先唐草と、軒先唐草に係止する外装材によって構築される軒先構造において、前記軒先唐草は、下地の軒先端部に取り付ける固定部と、固定部から延出し、外装材の取付面と略同一高さレベルで、下地の軒先端部の外側に張り出る上面部と、外装材軒先側の係止部が係止される被係止部と、上面部先端側下面から建築物の壁面に向けて連続して延在して、端部が建築物の壁面付近もしくは壁面にまで延びる化粧部を有し、この軒先唐草における固定部を下地の軒先端部に取り付け固定し、被係止部に外装材軒先側の係止部を係止し、端部が建築物の壁面付近もしくは壁面にまで延びている化粧部で軒天井部を一体形成していることを特徴とする。
本発明における下地は、木材製の躯体、鉄骨製の躯体、コンクリート製の躯体などの各種材料で構築される躯体、躯体上に配された垂木等の支持部材あるいは野地材等の下地材等をさし、軒先唐草を軒先端部に取り付け固定可能である全てのものが対象になる。
取付面は、外装材が吊子等の保持部材によって固定される箇所たとえば下地であり、また、垂木等の支持部材が存在する場合は、その垂木上面が取付面となる。
軒先唐草は、押し出し成形やロール成形によって成形された連続材すなわち通し材である。この唐草における上面部は、固定部から延出し、下地の軒先端の外側（軒先方向）に張り出し、前記取付面と略同一高さレベルになる面構成であればよく、上面部が下地表面と連続して連なるようになっていてもよいし、上面部が垂木等の支持部材上面と連続するものであってもよい。また、上面部には、外装材が葺かれても、外装材以外の金属板（化粧板等）が葺かれてもよいし、上面部をそのまま露出するものであってもよい。また、上面部が露出している場合、この上面部に雨水等の落とし口を形成し、上面部と化粧部とで形成される内部空間を前記落とし口と通じる樋部とするようにしてもよい。
固定部は、垂木等の上面に沿う形状あるいは躯体の軒先に沿う形状であってもよく、下地に沿う形状であるのが望ましい。また、固定部が躯体に沿う形状の場合、固定部と上面部間に、垂木や下地材等の厚さに相当する高さの立ち上げ部を介してもよい。この固定部の下地に対する固定は、ビス、ボルト（アンカー）等の固着具により行なわれるものであり、下地の材質に応じて適宜用いられる。
被係止部は、上面部の先端（外側）に設けてもよいし、上面部の途中あるいは固定部寄りもしくは固定部に設けるようにしてもよい。この被係止部と外装材軒先側の係止部との係止関係は、外装材の軒先側がめくれあがったりしないような係止状態が得られるものであればよい。
化粧部は、上面部先端側（先端あるいは先端近く）下面から建築物の壁面に向けて連続して延在して、端部が建築物の壁面付近もしくは壁面にまで延びる形態のものであればよく、また、その端部には壁面に取り付ける取付部を設けてもよい。この化粧部下面の化粧面は、直線状、段状、円弧状、その他の任意の形状であってもよい。
外装材は、溶融亜鉛メッキ鋼板やガルバリウム鋼板等の防錆処理鋼板、特殊鋼及び非鉄金属、ステンレス鋼板、耐候性鋼板、銅板、アルミニウム合金板、鉛板、亜鉛板、チタニウム板などが挙げられるが、特にこれらに限定されるものではない。また、この外装材の裏面には、断熱、防火等の目的や要求に応じて、グラスウールやロックウールのシート、或いはポリエチレンフォーム等の樹脂発泡シートを裏貼りしていても良い。
２．前記した１において、上面部と化粧部は、両部の先端側の交角が鋭角状の断面略横向きＶ字状に形成されていることを特徴とする。
上面部と化粧部の交角は、軒先意匠に応じて適宜設定されることになる。たとえば、外装材の勾配が参考になる。
３．前記した１または２において、化粧部下面の化粧面が略水平状に形成されていることを特徴とする。
【発明の効果】
【０００５】
Ａ．請求項１により、軒先唐草という最小限の部材で軒先を納め、しかも、軒天井等の化粧まで仕上げることができる。
したがって、従来の角張ったイメージを払拭し、任意の意匠に仕上げることができると共に軒天井の形成のための工事が不要である。
Ｂ．請求項２により、さらに、先鋭状の軒先意匠に仕上げることができる。
Ｃ．請求項３により、さらに、軒天井意匠を接続箇所がない水平状のデザインに仕上げることができる。
【発明を実施するための最良の形態】
【０００６】
図１には本発明の建築物の軒先構造における実施の1形態として、横葺屋根の軒先構造を例示しており、下地１は、鉄骨２上の下地材３における下地材上面３ａと、この下地材３の軒棟方向の溝部３ｂ内の垂木４における垂木上面４ａが、同じ高さレベルになるように配設することで、下地材上面３ａおよび垂木上面４ａを横葺屋根板１０が敷設される敷設面５とすると共に、垂木上面４ａを横葺屋根板１０が取り付けられる取付面６として形成してある。この下地材３および垂木４は鉄骨２に固定具（図示セズ）で取り付け固定されている。
そして、壁面７から外側に張り出している下地材３の軒先端部３ｃには軒先唐草８を取り付け固定してある。
【０００７】
軒先唐草８は、押し出し成形した一体成形品で、軒先端部３ｃ上面に取り付けられる固定部８ａと、固定部８ａから外側に連続して延出し、取付面６と略同一高さレベルで、軒先端部３ｃの外側に張り出る上面部８ｂと、上面部８ｂ先端に形成されて、横葺屋根板１０軒先端の係止部が係止される被係止部８ｃと、上面部８ｂ先端近く下面から壁面７に向けて連続して延在し、端部８ｄ１が壁面７付近にまで延びる化粧部８ｄを有している。そして、上面部８ｂと化粧部８ｄは、両部の先端側の交角ａが鋭角状の断面略横向きＶ字状に形成してあり、軒先端部３ｃに取り付け固定された状態で、上面部８ｂが取付面６に連続して横葺屋根板１０の葺き勾配と同角度状を呈し、化粧部８ｄ下面の化粧面８ｄ２が略水平状になるように形成してある。
この軒先唐草８は、固定部８ａを軒先端部３ｃの下地材上面３ａにビス等の固着具９で取り付け固定し、壁面７近くまで延びている化粧部８ｄ端部を軒先端部３ｃの下地材３下面に沿わせることで、下地材３の軒先端部３ｃを覆い隠して化粧し且つ軒天井部ｂを形成してある。
また、化粧部８ｄ上面途中には延長部８ｅを棟方向に延出し、この上下に対向状の延長部８ｅと上面部８ｂ下面との間に嵌合部８ｆを形成してある。この嵌合部８ｆは、軒先端部３ｃから外側に突出している垂木４の突出部分に嵌め付けてあり、垂木４との接続強度を強化してある。
【０００８】
軒先唐草８に取り付けられる横葺屋根板１０は、軒先端に係止部１０ａを下側に折り返して被係止部８ｃと係止可能に形成している。かかる横葺屋根板１０は、係止部１０ａを被係止部８ｃに係止することで、軒先端側を軒先唐草８側に固定し、棟側端の被係合部１０ｂを吊子１１で保持し、吊子１１をビス等の固着具１２で垂木上面４ａに止着することで、棟側端を取付面６に固定し、横葺屋根板１０を軒先端部３ｃおよび固定部８ａならびに上面部８ｂ上に葺いてある。
この軒先側の横葺屋根板１０の被係合部１０ｂには水上側の横葺屋根板１０の係合部１０ｃを係合して葺いてある。
【０００９】
図２には本発明の建築物の軒先構造における実施の1形態として、他の横葺屋根の軒先構造を例示しており、下地２０は、コンクリート製の躯体２１の軒先端部２１ａに軒先唐草２３を取り付け固定してある。また、下地上面２０ａには下地材２４を配設し、この下地材上面２４ａを横葺屋根板２７が敷設されて取り付けられる取付面２５として形成してある。
【００１０】
軒先唐草２３は、押し出し成形した一体成形品で、軒先端部２１ａ上面に取り付けられる固定部２３ａと、固定部２３ａから外側に載せ部２３ｂおよび立ち上げ部２３ｃを経て連続して延出し、取付面２５と略同一高さレベルで、軒先端部２１ａの外側に載せ部２３ｂおよび立ち上げ部２３ｃともども張り出る上面部２３ｄと、上面部２３ｄ先端の垂下部２３ｅ下端に形成されて、横葺屋根板２７軒先端の係止部２７ａが係止される被係止部２３ｆと、立ち上げ部２３ｃ下端から壁面２２に向けて連続して延在し、端部２３ｇ１が壁面２２にまで延びる化粧部２３ｇを有している。そして、上面部２３ｂと化粧部２３ｇは、両部の先端側の交角ａが鋭角状の断面略横向きＶ字状に形成してあり、軒先端部２１ａに取り付け固定された状態で、上面部２３ｄが取付面２５に連続して横葺屋根板２７の葺き勾配と同角度状を呈し、化粧部２３ｇ下面の化粧面２３ｇ２が略水平状になるように形成してある。立ち上げ部２３ｃは、下地材２４の厚さに相当する高さに形成することで、上面部２３ｄが取付面２５と同じ高さレベルになるようにしてある。
この軒先唐草２３は、固定部２３ａを軒先端部上面２１ｂにアンカーボルト等の固着具２６で取り付け固定し、壁面２２まで延びている化粧部２３ｇ端部の取付部２３ｈを壁面２２に固着具２６で取り付けることで、軒先端部２１ａを覆い隠して化粧し且つ軒天井部ｂを形成してある。
また、固定部２３ａと化粧部２３ｇ間には梁部２３ｉを設けることで、軒先唐草２３自体の構造強度を向上してある。
【００１１】
軒先唐草２３に取り付けられる横葺屋根板２７は、軒先端に係止部２７ａを内側に折り返して被係止部２３ｆと係止可能に形成している。かかる横葺屋根板２７は、係止部２７ａを被係止部２３ｆに係止することで、軒先端側を軒先唐草２３側に固定し、棟側端の被係合部２７ｂを吊子２８で保持し、吊子２８をビス等の固着具２９で下地材２４に止着することで、棟側端を取付面２５すなわち下地材上面２４ａに固定してある。また、載せ部２３ｂ上には、下地材２４と同じ厚さの下地材３０を載乗してビス等の固着具３１で止着してあり、この下地材上面３０ａを経て上面部２３ｂと下地材上面２４ａが略同一高さレベルに連続して連なるようにし、かかる下地材上面３０ａ上にポリエチレンフォーム製裏貼り材３２が裏貼りされた横葺屋根板２７を葺いてある。
この軒先側の横葺屋根板２７の被係合部２７ｂには水上側の横葺屋根板２７の係合部２７ｃを係合して葺いてある。
【図面の簡単な説明】
【００１２】
【図１】本発明の建築物の軒先構造における実施の1形態として、横葺屋根の軒先構造を例示している縦断面図。
【図２】本発明の建築物の軒先構造における実施の1形態として、他の横葺屋根の軒先構造を例示している縦断面図。
【符号の説明】
【００１３】
１、２０  下地
２  鉄骨
３、２４、３０  下地材
３ａ、２４ａ、３０ａ  下地材上面
３ｂ  溝部
３ｃ、２１ａ  軒先端部
４  垂木
４ａ  垂木上面
５  敷設面
６、２５  取付面
７、２２  壁面
８、２３  軒先唐草
８ａ、２３ａ  固定部
８ｂ、２３ｄ  上面部
８ｃ、２３ｆ  被係止部
８ｄ、２３ｇ  化粧部
８ｄ１、２３ｇ１  端部
８ｄ２、２３ｇ２  化粧面
８ｅ  延長部
８ｆ  嵌合部
９、１２、２６、２９、３１  固着具
１０、２７  横葺屋根板（外装材）
１０ａ、２７ａ  係止部
１０ｂ、２７ｂ  被係合部
１０ｃ  係合部
１１、２８  吊子
２１  躯体
２１ｂ  軒先端部上面
２０ａ  下地上面
２３ｂ  載せ部
２３ｃ  立ち上げ部
２３ｅ  垂下部
２３ｈ  取付部
２３ｉ  梁部
２７  横葺屋根板
２７ａ  係止部
２７ｂ  被係合部
２７ｃ  係合部
３２  裏貼り材
ａ  交角
ｂ  軒天井部
【図１】
2005248508.tif 000003
【図２】
2005248508.tif 000004